(57)【要約】  【課題】アーク溶接時の火花や強い発光などから顔面や目を保護する保護面に関し、鉄骨などへの吸着固定時の安定性に優れ、スラグ除去も容易な保護面を実現する。  【解決手段】保護面の面部のガラス枠自体に又はガラス枠に隣接して、永久磁石を設けてあるため、広くて重い面部を永久磁石で鉄骨等に吸着させて保持させることができ、軽くて細い取っ手部を吸着保持させる構造と違って、吸着保持時の安定性が向上し、強風などでも容易に鉄骨から分離脱落するような恐れはない。特に、ガラス枠は面部のほぼ中央に位置しているので、永久磁石も面部のほぼ中央に位置することになり、面部のほぼ中央位置を吸着保持でき、吸着時の安定性が確保される。しかも、取っ手部に、先端の尖った金属製のヘラを取付け固定してあるため、ヘラの先端で溶接スラグを剥離除去でき、スラグ除去専用のヘラが不要となる。【選択図】図１
0003135536.tif 000002
【実用新案登録請求の範囲】
【請求項１】
アーク溶接用の保護面において、面部のガラス枠自体に又はガラス枠に隣接して、永久磁石を設けてあることを特徴とするアーク溶接用保護面。
【請求項２】
前記の面部に取付けてある取っ手部に、先端の尖った金属製のヘラを取付け固定してあることを特徴とする請求項１に記載のアーク溶接用保護面。
【請求項３】
前記のガラス枠で保持されるガラス板と枠部との間に緩衝手段を介在させてあることを特徴とする請求項１または請求項２に記載のアーク溶接用保護面。
【請求項４】
前記のガラス枠内にガラス板を押しつけ固定するための押さえ枠がヒンジ部を介してガラス枠と一体の合成樹脂製になっていることを特徴とする請求項１、請求項２または請求項３に記載のアーク溶接用保護面。
【請求項５】
前記のガラス枠内に別体の押さえ枠を嵌め込むことによって、合成樹脂製のガラス枠内に合成樹脂製の押さえ枠でガラス板を押しつけ固定する構造であることを特徴とする請求項１、請求項２または請求項３に記載のアーク溶接用保護面。
【請求項６】
長方形状のガラス枠の上下両側に永久磁石を設けてあることを特徴とする請求項１から請求項５までのいずれかの項に記載のアーク溶接用保護面。
【考案の詳細な説明】
【技術分野】
【０００１】
本考案は、アーク溶接時の火花や強い発光などから顔面や目を保護する保護面に関する。
【背景技術】
【０００２】
実用新案登録第3056092 号において、アーク溶接の保護面を風又は作業員の接触しない場所に簡単に固定できるように、アーク溶接の保護面の取っ手の部分に強力な磁石を埋め込み、磁力によって保護面を鉄骨側面に固定できるようにした磁石を利用して鉄骨に固定できるアーク溶接の保護面が提案されている。
【特許文献１】実用新案登録第3056092 号
【考案の開示】
【考案が解決しようとする課題】
【０００３】
しかしながら、特許文献１のように、アーク溶接の保護面の取っ手の部分に強力な磁石を埋め込んだ構造では、広くて重い面部に対し軽くて細い取っ手部を磁石で鉄骨に吸着固定するため、安定性が悪く、強風などで容易に脱落する問題があり、高所で作業する際は、下に居る作業者や通行人などに危険を及ぼす恐れがある。
また、別の問題として、溶接作業時に常に溶接状態の確認のため、溶接時に発生するスラグ（溶接部に溶接剤によって発生する非金属物質）を除去する必要があり、そのたびに保護面や溶接棒ホルダーを手から離して、スラグを除去清掃することが、溶接品質の向上のためには必要である。
本考案の技術的課題は、このような問題に着目し、アーク溶接用の保護面において、鉄骨などへの吸着固定時の安定性に優れ、スラグ除去も容易な保護面を実現することにある。
【課題を解決するための手段】
【０００４】
本考案の技術的課題は次のような手段によって解決される。請求項１は、アーク溶接用の保護面において、面部のガラス枠自体に又はガラス枠に隣接して、永久磁石を設けてあることを特徴とするアーク溶接用保護面である。このように、アーク溶接時の火花や強力な発光などから顔面や目を保護する保護面において、面部のガラス枠自体に又はガラス枠に隣接して、永久磁石を設けてあるため、広くて重い面部を永久磁石で鉄骨等に吸着させて保持させることができる。その結果、軽くて細い取っ手部を吸着保持させる構造と違って、吸着保持時の安定性が向上し、強風などでも容易に鉄骨から分離脱落するような恐れはない。特に、ガラス枠は面部のほぼ中央に位置しているので、永久磁石も面部のほぼ中央に位置することになり、面部のほぼ中央位置を吸着保持でき、吸着時の安定性が確保される。
【０００５】
請求項２は、前記の面部に取付けてある取っ手部に、先端の尖った金属製のヘラを取付け固定してあることを特徴とする請求項１に記載のアーク溶接用保護面である。このように、前記の面部に取付けてある取っ手部に、先端の尖った金属製のヘラを取付け固定してあるため、ヘラの先端で溶接スラグを剥離除去でき、スラグ除去専用のヘラが不要となる。その結果、携行する道具の点数が少なくなり、高所作業などの際に便利である。
【０００６】
請求項３は、前記のガラス枠で保持されるガラス板と枠部との間に緩衝手段を介在させてあることを特徴とする請求項１または請求項２に記載のアーク溶接用保護面である。このように、前記のガラス枠で保持されるガラス板と枠部との間に緩衝手段を介在させてあるため、取っ手部先端の金属製の尖端で剥離作業などをする際の振動などで、ガラス板が損傷したりするのを防止できる。
【０００７】
請求項４は、前記のガラス枠内にガラス板を押しつけ固定するための押さえ枠がヒンジ部を介してガラス枠と一体の合成樹脂製になっていることを特徴とする請求項１、請求項２または請求項３に記載のアーク溶接用保護面である。このように、前記のガラス枠内にガラス板を押しつけ固定するための押さえ枠がヒンジ部を介してガラス枠と一体の合成樹脂製になっているため、ガラス板が破損し交換する場合に、押さえ枠の嵌め込みがワンタッチで可能となり、押さえ枠の着脱が容易になる。また、高所でガラス板を交換する場合に、押さえ枠が落下するような不便が解消される。
【０００８】
請求項５は、前記のガラス枠内に別体の押さえ枠を嵌め込むことによって、合成樹脂製のガラス枠内に合成樹脂製の押さえ枠でガラス板を押しつけ固定する構造であることを特徴とする請求項１、請求項２または請求項３に記載のアーク溶接用保護面である。このように、前記のガラス枠内にガラス板を押しつけ固定するための押さえ枠が、ガラス枠と別体になっているので、製造コストを低廉化できる。
【０００９】
請求項６は、長方形状のガラス枠の上下両側に永久磁石を設けてあることを特徴とする請求項１から請求項５までのいずれかの項に記載のアーク溶接用保護面である。ガラス枠は面部のほぼ中央に位置しているので、このように、長方形状のガラス枠の上下両側に永久磁石を設けてあると、面部のほぼ中央位置の２か所が鉄骨などに吸着保持されることになり、吸着時の安定性がより向上する。
【考案の効果】
【００１０】
請求項１のように、アーク溶接時の火花や強力な発光などから顔面や目を保護する保護面において、面部のガラス枠自体に又はガラス枠に隣接して、永久磁石を設けてあるため、広くて重い面部を永久磁石で鉄骨等に吸着させて保持させることができる。その結果、軽くて細い取っ手部を吸着保持させる構造と違って、吸着保持時の安定性が向上し、強風などでも容易に鉄部から分離脱落するような恐れはない。特に、ガラス枠は面部のほぼ中央に位置しているので、永久磁石も面部のほぼ中央に位置することになり、面部のほぼ中央位置を吸着保持でき、吸着時の安定性が確保される。
【００１１】
請求項２のように、前記の面部に取付けてある取っ手部に、先端の尖った金属製のヘラを取付け固定してあるため、ヘラの先端で溶接スラグを剥離除去でき、スラグ除去専用のヘラが不要となる。その結果、携行する道具の点数が少なくなり、高所作業などの際に便利である。
【００１２】
請求項３のように、前記のガラス枠で保持されるガラス板と枠部との間に緩衝手段を介在させてあるため、取っ手部先端の金属製の尖端で剥離作業などをする際の振動などで、ガラス板が損傷したりするのを防止できる。
【００１３】
請求項４のように、前記のガラス枠内にガラス板を押しつけ固定するための押さえ枠がヒンジ部を介してガラス枠と一体の合成樹脂製になっているため、ガラス板が破損し交換する場合に、押さえ枠の嵌め込みがワンタッチで可能となり、押さえ枠の着脱が容易になる。また、高所でガラス板を交換する場合に、押さえ枠が落下するような不便が解消される。
【００１４】
請求項５のように、前記のガラス枠内にガラス板を押しつけ固定するための押さえ枠が、ガラス枠と別体になっているので、製造コストを低廉化できる。
【００１５】
請求項６のように、長方形状のガラス枠の上下両側に永久磁石を設けてあるため、面部のほぼ中央位置の２か所が鉄部に吸着保持されることになり、吸着時の安定性がより向上する。
【考案を実施するための最良の形態】
【００１６】
次に本考案によるアーク溶接用保護面が実際上どのように具体化されるか実施形態を説明する。図１は本考案によるアーク溶接用保護面の正面図、図２は図１の中心縦断面図である。１は顔を被う面部で、そのほぼ中央位置に、長方形状のガラス板Ｇを保持するガラス枠２を取付けてある。長方形状のガラス枠２の上側に永久磁石Ｍｇ１を取付けてあり、下側に永久磁石Ｍｇ２を取付けてある。３は取っ手部で、その下端にヘラ４を取付け固定してある。
【００１７】
このアーク溶接用保護面の使用に際しては、取っ手部３を片手で握って、面部１を顔に被る状態で、アーク溶接作業をする。高所で溶接作業を中断して、ガラス板Ｇの交換や他のいろいろな作業をする場合は、上下２個の永久磁石Ｍｇ１・Ｍｇ２を鉄骨などに吸着させ、一時的に保持させることができる。ガラス板Ｇは面部１のほぼ中央位置に有り、その上下２か所に永久磁石を配設してあるので、面部１を金属部に吸着させた際の安定性にすぐれ、強風が吹いたりしても容易に離脱する恐れはない。図２や図３からも明らかなように、永久磁石Ｍｇ１・Ｍｇ２の磁極部が正面側に最も突出しているので、永久磁石Ｍｇ１・Ｍｇ２の磁極部を鉄部に吸着させる際の妨げになる部分は存在せず、確実に鉄部に吸着保持できる。
【００１８】
溶接作業時は常に溶接状態を確認するために、溶接時に発生するスラグを除去する必要があるので、そのたびに、保護面や溶接棒ホルダーを手から離して、スラグの除去清掃を行なう。そのために、木製の取っ手部３の下端に、先の尖った金属製のヘラ４を取付け固定してあるので、ヘラ４尖端でスラグを容易に擦り取ることができ、専用のヘラを用意しなくても済み、便利である。
【００１９】
取っ手部のヘラ４で、前記のような清掃作業をする際にガラス枠２まで振動が伝わって、ガラス板Ｇのエッジが欠けたりする恐れがある。そのために、図３のように、ガラス枠２とガラス板Ｇとの間に、緩衝目的で、ゴム材などのパッキンＰを介在させてある。このパッキンＰは、２枚重ねのガラス板Ｇの外周を覆い、長方形状の枠２の内側に突出したフランジ部２ｆに内側から押しつけた構造になっている。このパッキンＰは、絶縁テープなどをガラス板Ｇの外周に巻き付けた構造でもよい。５は押さえ枠で、ガラス枠２の内側に挿入できるように、パッキンＰと同様な長方形状をしている。
【００２０】
この押さえ枠５の嵌め込み構造は特に限定されないが、図示例では、ガラス枠２とヒンジ部Ｈを介して一体成型されている。図４は、ヒンジ部Ｈを支点にして、押さえ枠５を背部に開いた状態の縦断面図である。押さえ枠５を完全に開いて１８０度反転させて背面図で示すと、図５のようになる。図５から明らかなように、押さえ枠５とガラス枠２を連結するヒンジ部Ｈは、横サイズＤのガラス枠２の下側のみに、かつ幅Ｗの範囲に設けてある。また、ヒンジ部Ｈと反対側には、押さえ枠５をガラス枠２にロックする爪６を一体に設けてあり、その反対方向に延びる押さえレバー部７を一体に形成して、爪６を解除可能にしてある。
【００２１】
図４のように、パッキンＰを嵌めたガラス板Ｇをフランジ部２ｆの内側に挿入した状態で、ヒンジ部Ｈを支点にして押さえ枠５をガラス板Ｇの上に嵌め込んで押しつけると、図３のように、爪６がガラス枠２の外側のフックＦに引っ掛かってロックされ、押さえ枠５が外れる恐れがない。５１は、ヒンジ部Ｈと押さえ枠５との連結部、５２は、ロック爪６と押さえ枠５との連結部である。図６は、図３のように、押さえ枠５を嵌め込んだ状態の背面図である。
【００２２】
ヒンジ部Ｈを除去し、ヒンジ部Ｈ側にも、ヒンジ部Ｈに代えて、ロック爪６とその解除用のレバー部７を設けると共に、ロック爪６を引っ掛けるフックＦをガラス枠２の下側にも設ける構造も可能である。この場合は、ヒンジ部Ｈを介して押さえ枠５とガラス枠２が一体化されている構造と違って、ガラス枠２と押さえ枠５が別体のため、成型が容易で安価に製造できる。しかしながら、高所作業などの場合は、ガラス交換などの際に、押さえ枠５が脱落するという不便は避けられない。ヒンジ部Ｈを採用する場合は、ヒンジ部Ｈと押さえ枠５とガラス枠２は同じ材質の合成樹脂製となるが、ヒンジ部Ｈを使用しない、分離構造の場合は、押さえ枠５とガラス枠２とは、材質が異なっても差し支えない。ただし、いずれも合成樹脂製が適している。
【００２３】
永久磁石Ｍｇ１・Ｍｇ２は、図３のように、Ｕ字鉄芯の中に永久磁石を挟んだ形状であるが、Ｕ字鉄芯自体が永久磁石であってもよい。また、２個の永久磁石Ｍｇ１・Ｍｇ２は、ガラス枠２自体に凹部を形成して、その中に埋め込む構造でもよいし、ガラス枠２に隣接して、ガラス枠２の外側に永久磁石Ｍｇ１・Ｍｇ２を押し込み、圧入することも可能である。パッキンＰは緩衝目的と溶接部で発生した煙が目に入らないように遮断する目的があるが、図７のように、フランジ部２ｆとガラス板Ｇとの間に断面が四角形や円形の長方形状の簡易型のパッキンｐを挟んでもよい。もちろん、簡易パッキンｐと図３のようなガラス板外周を覆うパッキンＰとを併用することも可能である。面部１は、アーク溶接時の火花などに耐えられれば、合成樹脂製も可能であるが、ガラス枠や永久磁石実装部のみ合成樹脂製とし、在来の耐熱厚紙製の面部１の中央に取付け固定する構造でもよい。なお、面部１は、アルミニウム薄板などの軽量材でも可能である。
【産業上の利用可能性】
【００２４】
以上のように、本考案によると、アーク溶接用の保護面において、面部のガラス枠自体に又はガラス枠に隣接して、永久磁石を設けてあるため、この永久磁石で面部を鉄部に吸着させると、最も重くかつ面積の広い面部が吸着保持されるので、吸着固定の安定性に優れている。
【図面の簡単な説明】
【００２５】
【図１】本考案によるアーク溶接用保護面の正面図である。
【図２】図１の中心縦断面図である。
【図３】磁石実装構造とパッキンと押さえ枠を示す縦断面図である。
【図４】ヒンジ部を支点にして押さえ枠を開いた状態の縦断面図である。
【図５】押さえ枠を１８０度開いた状態の背面図である。
【図６】押さえ枠を嵌め込んだ状態の背面図である。
【図７】パッキンの他の実施形態の縦断面図である。
【符号の説明】
【００２６】
１  顔を被う面部
２  ガラス枠
２ｆ  フランジ部
Ｇ  ガラス板
Ｐ・ｐ  パッキン
Ｍｇ１・Ｍｇ２  永久磁石
３  取っ手部
４  ヘラ
５  押さえ枠
Ｈ  ヒンジ部
６  ロック爪
７  爪解除レバー部
Ｆ  フック
【図１】
0003135536.tif 000003
【図２】
0003135536.tif 000004
【図３】
0003135536.tif 000005
【図４】
0003135536.tif 000006
【図５】
0003135536.tif 000007
【図６】
0003135536.tif 000008
【図７】
0003135536.tif 000009